(57)【要約】【課題】密集した複数の容器に対する嵩上げ枠の着脱を容易にすること。【解決手段】本開示の嵩上げ枠１０は、上方に開放した容器５０の側壁５２の上に載置される載置壁１１と、載置壁１１から上方に起立する起立壁１２と、起立壁１２から嵩上げ枠１０の外方側に張り出す天井壁１３と、嵩上げ枠１０の容器５０に対する水平方向の移動を規制する水平移動規制部２５と、載置壁１１から上方に突出するか又は天井壁１３から下方に突出する連絡リブ２１と、を備える。天井壁１３の外方側の端部は、載置壁１１の外方側の端部よりも嵩上げ枠１０の内方側に配置され、連絡リブ２１のうち嵩上げ枠１０の外方側の端部には、天井壁１３よりも外方側に位置し、下方へ向かうにつれて嵩上げ枠１０の外方側へ向かうように傾斜する傾斜外端部２３Ａが設けられている。【選択図】図５
2020142809.tif 000002
【特許請求の範囲】
【請求項１】
上方に開放した容器の側壁の上部に取り付けられて該容器を嵩上げする嵩上げ枠であって、
前記側壁の上に載置される載置壁と、
前記載置壁のうち前記嵩上げ枠の内方側に位置する部分から上方に起立する起立壁と、
前記起立壁から前記嵩上げ枠の外方側に張り出して前記嵩上げ枠の上端部を構成する天井壁と、
前記嵩上げ枠の前記容器に対する水平方向の移動を規制する水平移動規制部と、
前記載置壁から上方に突出するか又は前記天井壁から下方に突出する突壁と、を備え、
前記天井壁のうち前記嵩上げ枠の外方側の端部は、前記載置壁のうち前記嵩上げ枠の外方側の端部よりも前記嵩上げ枠の内方側に配置され、
前記突壁のうち前記嵩上げ枠の外方側の端部には、前記天井壁よりも前記嵩上げ枠の外方側に位置し、下方へ向かうにつれて前記嵩上げ枠の外方側へ向かうように傾斜する傾斜外端部が設けられている、嵩上げ枠。
【請求項２】
前記突壁は、前記載置壁から上方に延びて前記嵩上げ枠の外方側の端部に前記傾斜外端部を備える下側壁部と、前記下側壁部から上方に延設されて前記天井壁に連絡すると共に前記嵩上げ枠の外方側の端部に前記嵩上げ枠の内外方向に対して略垂直な垂直外端部を備える上側壁部と、からなる、請求項１に記載の嵩上げ枠。
【請求項３】
前記天井壁は、別の嵩上げ枠の前記載置壁を載置可能に構成され、
前記天井壁の上に前記別の嵩上げ枠の前記載置壁が載置されたときに、前記別の嵩上げ枠と当接して前記別の嵩上げ枠の水平方向の移動を規制する嵩上げ枠当接部を有する、請求項１又は２に記載の嵩上げ枠。
【請求項４】
前記水平移動規制部は、前記載置壁から下方に垂下して前記側壁に対して前記容器の外方側に配置される外側規制片を備え、
前記外側規制片は、前記垂直外端部よりも前記嵩上げ枠の外方側に配置されている、請求項２に従属する請求項３に記載の嵩上げ枠。
【請求項５】
請求項１乃至４のうち何れか１項に記載の嵩上げ枠と、前記容器と、を有する嵩上げ枠付き容器。
【請求項６】
前記水平移動規制部は、前記載置壁から下方に垂下して前記側壁に対して前記容器の内方側に配置される内側規制片と、前記載置壁から下方に垂下して前記側壁に対して前記容器の外方側に配置される外側規制片と、を有し、
前記嵩上げ枠が前記側壁の上部に取り付けられたときに、前記内側規制片と前記外側規制片の両方が前記側壁との間に隙間を有する、請求項５に記載の嵩上げ枠付き容器。
【請求項７】
前記容器は、前記側壁の上に載置される蓋体を有し、
前記天井壁は、別の容器を載置可能に構成されると共に、前記蓋体を載置可能に構成され、
前記天井壁の上に載置された前記別の容器の底部と当接して前記別の容器の水平方向の移動を規制する容器当接部と、
前記天井壁の上に載置された前記蓋体と当接して前記蓋体の水平方向の移動を規制する蓋体当接部と、を有する、請求項５又は６に記載の嵩上げ枠付き容器。
【発明の詳細な説明】
【技術分野】
【０００１】
本開示は、上方に開放した容器の側壁の上部に取り付けられて容器を嵩上げする嵩上げ枠及び嵩上げ枠付き容器に関する。
【背景技術】
【０００２】
特許文献１に開示の嵩上げ枠は、容器の上端に形成されたフランジに載置され、嵩上げ枠の下面から突出した鉤状の係合片を容器の上端フランジに形成された長孔に係合させることで、容器に取り付ける。長孔は、幅広部と幅狭部を長手方向に連ねた構造になっていて、嵩上げ枠の取り付けにあたっては、鉤状の係合片を幅広部に挿通させてから幅狭部側にスライドさせる。
【先行技術文献】
【特許文献】
【０００３】
【特許文献１】実公昭５５−３８８３７号（第２頁左欄第３行〜第２６行、第１図）
【発明の概要】
【発明が解決しようとする課題】
【０００４】
特許文献１の嵩上げ枠では、嵩上げ枠の上端部の外寸が容器の外寸と略同じになっているため、密集した複数の容器に対して嵩上げ枠を着脱する場合に、その着脱が困難になるという問題があった。
【課題を解決するための手段】
【０００５】
上記課題を解決するためになされた請求項１の発明は、上方に開放した容器の側壁の上部に取り付けられて該容器を嵩上げする嵩上げ枠であって、前記側壁の上に載置される載置壁と、前記載置壁のうち前記嵩上げ枠の内方側に位置する部分から上方に起立する起立壁と、前記起立壁から前記嵩上げ枠の外方側に張り出して前記嵩上げ枠の上端部を構成する天井壁と、前記嵩上げ枠の前記容器に対する水平方向の移動を規制する水平移動規制部と、前記載置壁から上方に突出するか又は前記天井壁から下方に突出する突壁と、を備え、前記天井壁のうち前記嵩上げ枠の外方側の端部は、前記載置壁のうち前記嵩上げ枠の外方側の端部よりも前記嵩上げ枠の内方側に配置され、前記突壁のうち前記嵩上げ枠の外方側の端部には、前記天井壁よりも前記嵩上げ枠の外方側に位置し、下方へ向かうにつれて前記嵩上げ枠の外方側へ向かうように傾斜する傾斜外端部が設けられている、嵩上げ枠である。
【０００６】
請求項２の発明は、前記突壁は、前記載置壁から上方に延びて前記嵩上げ枠の外方側の端部に前記傾斜外端部を備える下側壁部と、前記下側壁部から上方に延設されて前記天井壁に連絡すると共に前記嵩上げ枠の外方側の端部に前記嵩上げ枠の内外方向に対して略垂直な垂直外端部を備える上側壁部と、からなる、請求項１に記載の嵩上げ枠である。
【０００７】
請求項３の発明は、前記天井壁は、別の嵩上げ枠の前記載置壁を載置可能に構成され、前記天井壁の上に前記別の嵩上げ枠の前記載置壁が載置されたときに、前記別の嵩上げ枠と当接して前記別の嵩上げ枠の水平方向の移動を規制する嵩上げ枠当接部を有する、請求項１又は２に記載の嵩上げ枠である。
【０００８】
請求項４の発明は、前記水平移動規制部は、前記載置壁から下方に垂下して前記側壁に対して前記容器の外方側に配置される外側規制片を備え、前記外側規制片は、前記垂直外端部よりも前記嵩上げ枠の外方側に配置されている、請求項２に従属する請求項３に記載の嵩上げ枠である。
【０００９】
請求項５の発明は、請求項１乃至４のうち何れか１項に記載の嵩上げ枠と、前記容器と、を有する嵩上げ枠付き容器である。
【００１０】
請求項６の発明は、前記水平移動規制部は、前記載置壁から下方に垂下して前記側壁に対して前記容器の内方側に配置される内側規制片と、前記載置壁から下方に垂下して前記側壁に対して前記容器の外方側に配置される外側規制片と、を有し、前記嵩上げ枠が前記側壁の上部に取り付けられたときに、前記内側規制片と前記外側規制片の両方が前記側壁との間に隙間を有する、請求項５に記載の嵩上げ枠付き容器である。
【００１１】
請求項７の発明は、前記容器は、前記側壁の上に載置される蓋体を有し、前記天井壁は、別の容器を載置可能に構成されると共に、前記蓋体を載置可能に構成され、前記天井壁の上に載置された前記別の容器の底部と当接して前記別の容器の水平方向の移動を規制する容器当接部と、前記天井壁の上に載置された前記蓋体と当接して前記蓋体の水平方向の移動を規制する蓋体当接部と、を有する、請求項５又は６に記載の嵩上げ枠付き容器である。
【発明の効果】
【００１２】
［請求項１，５の発明］
請求項１，５の発明では、天井壁のうち嵩上げ枠の外方側の端部が、載置壁のうち嵩上げ枠の外方側の端部よりも嵩上げ枠の内方側に配置されているので、嵩上げ枠が取り付けられた容器が隣接しても、嵩上げ枠の上端部どうしの間に所定距離以上の隙間を形成することができる。従って、その隙間に指等を入れて嵩上げ枠を容器から外すことが可能となる。また、隣接した２つの容器のそれぞれに嵩上げ枠を取り付ける場合には、一方の容器に嵩上げ枠を取り付けてから他方の容器に別の嵩上げ枠を取り付けることになるが、別の嵩上げ枠を他方の容器に取り付ける際に当該別の嵩上げ枠が一方の容器側にずれても、一方の容器に取り付けられた嵩上げ枠の傾斜外端部によって別の嵩上げ枠を他方の容器側に案内して当該別の嵩上げ枠を他方の容器に取り付けることが可能となる。このように、本発明によれば、密集した複数の容器に対する嵩上げ枠の着脱が容易となる。
【００１３】
［請求項２の発明］
請求項２の発明では、突壁が載置壁と天井壁を連絡するので、突壁による補強効果の向上が図られる。また、突壁の上下方向の全体（即ち、載置壁から天井壁までの間）に亘って傾斜外端部が備えられている場合と比較して、天井壁を嵩上げ枠の内外方向に長くすることが可能となるので、嵩上げ枠の上端部の強度向上が図られる。
【００１４】
［請求項３の発明］
請求項３の発明では、段積みする嵩上げ枠の数によって容器の嵩上げ量を調整することが可能となる。
【００１５】
［請求項４の発明］
請求項４の発明では、嵩上げ枠を上下に段積みしたときに、下側の嵩上げ枠の垂直外端部を、上側の嵩上げ枠の外側規制片より内方側に配置することができる。その結果、上側の嵩上げ枠の外側規制片と下側の嵩上げ枠の外側規制片を上下に並べることが可能となり、上側の嵩上げ枠の外側規制片が下側の嵩上げ枠より外方側に飛び出ることが抑えられる。
【００１６】
［請求項６の発明］
請求項６の発明では、嵩上げ枠が容器の側壁の上部に取り付けられたときに、内側規制片と外側規制片の両方が側壁との間に隙間を有するので、容器の内寸や外寸が異なっても、その容器に嵩上げ枠を取り付けることが可能となる。
【００１７】
［請求項７の発明］
請求項７の発明では、嵩上げ枠付き容器の上に別の容器を安定的に載置することができるので、嵩上げ枠付き容器を段積みすることが可能となる。また、容器の蓋体を、嵩上げ枠付き容器の上に安定的に載置することが可能となる。
【図面の簡単な説明】
【００１８】
【図１】本開示の一実施形態に係る嵩上げ枠付き容器の上方斜視図
【図２】嵩上げ枠の上方斜視図
【図３】嵩上げ枠の下方斜視図
【図４】嵩上げ枠の側断面図
【図５】嵩上げ枠付き容器の側断面図
【図６】（Ａ）隣接する嵩上げ枠付き容器の側断面図、（Ｂ）隣接する容器への嵩上げ枠の取り付けを説明するための側断面図
【図７】段積みされた嵩上げ枠の側断面図
【図８】容器を載置する嵩上げ枠付き容器の斜視図
【図９】容器を載置する嵩上げ枠付き容器の側断面図
【図１０】蓋体が取り付けられた容器の斜視図
【図１１】蓋体の下方斜視図
【図１２】蓋体が取り付けられた嵩上げ枠付き容器の側断面図
【図１３】他の実施形態に係る嵩上げ枠の側断面図
【図１４】他の実施形態に係る嵩上げ枠の斜視図
【発明を実施するための形態】
【００１９】
図１に示されるように、本実施形態の嵩上げ枠１０は、上方に開放した容器５０の上部に取り付けられて、容器５０を嵩上げするものである。嵩上げ枠１０が取り付けられた容器５０は、嵩上げ枠付き容器７０を構成する。
【００２０】
本実施形態では、容器５０は、平面視矩形状に形成された底壁５１と、底壁５１の外周部から起立した側壁５２と、を備える。側壁５２は、矩形枠状をなして容器５０の上部を構成する上部フレーム５３と、上部フレーム５３と底壁５１の短辺部を連絡する跳ね上げ側壁５４と、上部フレーム５３と底壁５１の長辺部を連絡する折り曲げ側壁５５と、からなる。
【００２１】
跳ね上げ側壁５４は、上部フレーム５３に回動可能に支持され、上部フレーム５３から下方に垂下して底壁５１と係合する係合状態（図１に示される跳ね上げ側壁５４の状態）から上部フレーム５３の内側に回動して底壁５１と略平行に配置される跳ね上げ状態と、に変化する。折り曲げ側壁５５は、上部フレーム５３に回動可能に支持された上側分割側壁５５Ａと、底壁５１に回動可能に支持された下側分割側壁５５Ｂと、がヒンジ結合されてなり、上側分割側壁５５Ａと下側分割側壁５５Ｂが直線状に配置されて底壁５１から起立する起立状態（図１に示される折り曲げ側壁５５の状態）と、ヒンジ結合部分が容器５０の内側に配置されるように折り曲げられて上側分割側壁５５Ａと下側分割側壁５５Ｂが底壁５１に重ねられる折り曲げ状態と、に変化する。そして、跳ね上げ側壁５４が係合状態で折り曲げ側壁５５が起立状態のときに、容器５０が組立状態（図１に示される容器５０の状態）となり、跳ね上げ側壁５４が跳ね上げ状態で折り曲げ側壁５５が折り曲げ状態のときに、容器５０が折畳状態となる。
【００２２】
図２及び図３に示されるように、嵩上げ枠１０は、平面視矩形状に形成され、略水平に配置される載置壁１１と天井壁１３との間が起立壁１２で連絡された構造を有している。載置壁１１は、平面視矩形枠状に形成されている。起立壁１２は、載置壁１１の内周部から上方に起立して、略鉛直に配置される。天井壁１３は、起立壁１２の上端から嵩上げ枠１０の外方側に張り出して、嵩上げ枠１０の上端部を構成する。本実施形態では、起立壁１２は、載置壁１１の内周部全体から起立した筒状に形成され、天井壁１３は、起立壁１２の全周から張り出したフランジ状に形成されている。
【００２３】
図４に示されるように、起立壁１２は、載置壁１１の内縁よりも、若干、嵩上げ枠１０の外方側に配置されている。そして、載置壁１１には、起立壁１２よりも嵩上げ枠１０の内方側にはみ出した、内側はみ出し部１１Ａが形成されている。
【００２４】
また、図４に示されるように、天井壁１３の起立壁１２からの突出量は、載置壁１１のうち内側はみ出し部１１Ａを除いた部分の起立壁１２からの突出量よりも小さくなっていて、天井壁１３の外縁は、載置壁１１の外縁よりも嵩上げ枠１０の内方側に配置されている。
【００２５】
図２に示されるように、天井壁１３の上面の各コーナー部分には、平面視略Ｌ字状の陥没部１３Ａが設けられている。陥没部１３Ａは、天井壁１３の一部を下方に凹ませて形成されている。陥没部１３Ａの底面のうち嵩上げ枠１０の外方側の端部からは、凹部外壁１４が突出している。なお、凹部外壁１４は、平面視略Ｌ字状に形成されて嵩上げ枠１０の外周部を構成する。
【００２６】
図２及び図３に示されるように、嵩上げ枠１０は、起立壁１２から嵩上げ枠１０の外方側に突出する複数の連絡リブ２１を備えている。複数の連絡リブ２１は、嵩上げ枠１０の周方向全体にわたって配置され、載置壁１１と天井壁１３の両方に連絡している。即ち、複数の連絡リブ２１は、載置壁１１から上方に突出し、かつ、天井壁１３から下方に突出している、と言える。
【００２７】
図４に示されるように、連絡リブ２１は、天井壁１３に連絡する上側連絡部２２と、載置壁１１に連絡する下側連絡部２３とからなる。上側連絡部２２は、上下方向の任意の位置で起立壁１２からの突出量が天井壁１３と略同じとなるように形成されている。そして、上側連絡部２２のうち嵩上げ枠１０の外方側の端部は、嵩上げ枠１０の内外方向に対して略垂直な垂直外端部２２Ａとなっている。
【００２８】
下側連絡部２３は、下方へ向かうにつれて起立壁１２からの突出量が大きくなるように形成されている。下側連絡部２３の上端位置における起立壁１２からの突出量は天井壁１３と略同じになっていて、下側連絡部２３の下端位置における起立壁１２からの突出量は載置壁１１と略同じになっている。そして、下側連絡部２３のうち嵩上げ枠１０の外方側の端部は、下方へ向かうにつれて嵩上げ枠１０の外方側へ向かうように傾斜する傾斜外端部２３Ａとなっている。なお、傾斜外端部２３Ａは、天井壁１３よりも嵩上げ枠１０の外方側に配置される。
【００２９】
図２に示されるように、本実施形態の嵩上げ枠１０は、起立壁１２における上下方向の中間位置から嵩上げ枠１０の外方側に略水平に張り出す水平リブ２４を備えている。水平リブ２４は、起立壁１２の周方向全体から張り出して、複数の連絡リブ２１と略垂直に交差する。水平リブ２４の起立壁１２からの突出量は天井壁１３と略同じになっている。なお、上側連絡部２２は、連絡リブ２１のうち水平リブ２４より上側に配置された部分で構成されていて、下側連絡部２３は、連絡リブ２１のうち水平リブ２４より下側に配置された部分で構成されている。
【００３０】
図５に示されるように、嵩上げ枠１０は、嵩上げ枠１０が容器５０の上部に取り付けられたときに容器５０の側壁５２と係合して、嵩上げ枠１０の容器５０に対する水平方向の移動を規制する水平移動規制部２５を備えている。
【００３１】
図３及び図４に示されるように、水平移動規制部２５は、載置壁１１の外縁部から下方に突出する外側規制片２６と、載置壁１１の内縁部から下方に突出する内側規制片２７と、を備える。外側規制片２６の載置壁１１からの突出量は、内側規制片２７の載置壁１１からの突出量よりも大きくなっている。なお、外側規制片２６と内側規制片２７は、共に、嵩上げ枠１０の周方向全体に配置され、枠状に形成されている。
【００３２】
ここで、上述したように、載置壁１１には、起立壁１２よりも嵩上げ枠１０の内方側にはみ出した内側はみ出し部１１Ａが形成されている。また、内側規制片２７は、載置壁１１の内縁部から下方に突出する。従って、嵩上げ枠１０の内周面には、内側はみ出し部１１Ａによって下方側を嵩上げ枠１０の内方側に配置する段差が形成されることになる。
【００３３】
図５に示されるように、嵩上げ枠１０は、容器５０の側壁５２の上部に取り付けられて、嵩上げ枠付き容器７０を形成する。具体的には、嵩上げ枠１０の載置壁１１が容器５０の側壁５２の上（詳細には、上部フレーム５３の上）に載置される。なお、このとき、容器５０の側壁５２の内周面と起立壁１２の内方側の面が略面一に配置されることが好ましい。
【００３４】
嵩上げ枠１０が容器５０の側壁５２の上に載置されると、外側規制片２６が側壁５２の上部に外方側から対向し、内側規制壁２７が側壁５２の上部に内方側から対向する。これにより、嵩上げ枠１０の容器５０に対する水平方向の移動が規制される。このように、嵩上げ枠１０では、載置壁１１を側壁５２の上に載置するだけで嵩上げ枠１０を容器５０に取り付けることができるので、嵩上げ枠１０の着脱が容易となる。
【００３５】
しかも、本実施形態では、外側規制片２６の載置壁１１からの突出量が内側規制片２７の載置壁１１からの突出量よりも大きくなっているので、外側規制片２６の強度アップが図られると共に、内側規制片２７が容器５０の収容物と干渉することが抑制される。
【００３６】
なお、水平移動規制部２５は、外側規制片２６と内側規制片２７の何れか一方のみで構成されても、嵩上げ枠１０の容器５０に対する水平方向の移動を規制することができる。本実施形態では、水平移動規制部２５が外側規制片２６と内側規制片２７の両方を備えることで、嵩上げ枠１０の変形が抑制されている。
【００３７】
本実施形態の嵩上げ枠１０では、載置壁１１に内側はみ出し部１１Ａが形成されているので、嵩上げ枠１０が容器５０に取り付けられたときに、内側はみ出し部１１Ａを容器５０の高さの目安にすることができる。しかも、嵩上げ枠１０では、載置壁１１の内縁部から内側規制片２７が突出することで、嵩上げ枠１０の内周面に段差が形成されるので、内側はみ出し部１１Ａが認識され易くなる。
【００３８】
図５に示されるように、本実施形態の嵩上げ枠付き容器７０では、外側規制片２６及び内側規制片２７の両方が容器５０の側壁５２（上部フレーム５３）との間に隙間を有している。したがって、容器５０とは内寸や外寸が異なる別の容器５０にも嵩上げ枠１０を取り付けることが可能となる。
【００３９】
また、容器５０の内部に袋を入れて、その袋の開口縁を側壁５２の上部（上部フレーム５３）に引っ掛けることが考えられる。袋が手提げ袋である場合には、手提げ部を側壁５２の上部（上部フレーム５３）に引掛けることも考えられる。本実施形態の嵩上げ枠付き容器７０では、外側規制片２６及び内側規制片２７の両方が容器５０の側壁５２との間に隙間を有しているので、袋の開口縁（又は手提げ部）を側壁５２の上部に引っ掛けた状態で容器５０に嵩上げ枠１０を取り付けることができる。なお、袋の手提げ部を側壁の上部（上部フレーム５３）に載せて、嵩上げ枠１０を容器５０に取り付ければ、載置壁１１で袋の手提げ部を挟むこととなり、袋を簡易的に掛け止めすることができる。この場合、外側規制片２６と内側規制片２７の両方が容器５０の側壁５２との間に隙間を有しているので、袋（詳細には、手提げ部）が突っ張り難くなり、袋の破れが抑制される。
【００４０】
図６（Ａ）には、２つの嵩上げ枠付き容器７０が隣接した状態が示されている。ここで、本実施形態の嵩上げ枠１０では、天井壁１３の外縁が載置壁１１の外縁よりも嵩上げ枠１０の内方側に配置されているので、２つの嵩上げ枠付き容器７０の嵩上げ枠１０どうしの間では、載置壁１１どうしが隣接しても、天井壁１３どうしは間隔をあけて配置される。その結果、嵩上げ枠付き容器７０が隣接しても、嵩上げ枠１０の上端部どうしの間に所定距離以上の隙間を形成することができ、その隙間に指等を入れて嵩上げ枠１０を容器５０から外すことが可能となる。
【００４１】
図６（Ｂ）に示されるように、隣接する２つの容器５０に嵩上げ枠１０を取り付ける場合には、一方の容器５０（図６（Ｂ）の例では、左側の容器５０）に嵩上げ枠１０を取り付けてから、他方の容器５０（図６（Ｂ）の例では、右側の容器５０）に嵩上げ枠１０を取り付ける。嵩上げ枠１０が他方の容器５０に取り付けられるときに該嵩上げ枠１０が一方の容器５０側にずれていると、図６（Ｂ）の二点鎖線で示されるように、該嵩上げ枠１０は、一方の容器５０に取り付けられた嵩上げ枠１０の傾斜外端部２３Ａによって他方の容器５０側に誘導される。これにより、他方の容器５０への嵩上げ枠１０の取り付けが容易となる。
【００４２】
図７に示されるように、本実施形態の嵩上げ枠１０は、内外方向における天井壁１３の幅が外側規制片２６と内側規制片２７との間の間隔（即ち、載置壁１１の幅）より狭くなっているので、上下に段積み可能となっている。そして、容器５０に取り付けられた嵩上げ枠１０の上に別の嵩上げ枠１０が積み上げられることで、容器５０の嵩上げ量を調整することが可能となっている。
【００４３】
嵩上げ枠１０が段積みされると、下側の嵩上げ枠１０の上部（具体的には、天井壁１３、起立壁１２の上端寄り部分、及び連絡リブ２１の上側連絡部２２）が上側の嵩上げ枠１０の外側規制片２６と内側規制片２７の間に挟まれる。上側の嵩上げ枠１０が水平方向に移動すると、上側の嵩上げ枠１０の外側規制片２６又は内側規制片２７が下側の嵩上げ枠１０の上部と当接する。これにより、下側の嵩上げ枠１０に対する上側の嵩上げ枠１０の水平方向の移動が規制される。
【００４４】
具体的には、図７において、上側の嵩上げ枠１０が下側の嵩上げ枠１０に対して水平方向左側に移動すると、下側の嵩上げ枠１０における天井壁１３の外縁部及び上側連絡部２２の垂直外端部２２Ａが、上側の嵩上げ枠１０の外側規制片２６に内方側から当接して、上側の嵩上げ枠１０の移動を規制する。また、図７において、上側の嵩上げ枠１０が下側の嵩上げ枠１０に対して水平方向右側に移動すると、下側の嵩上げ枠１０の起立壁１２が、上側の嵩上げ枠１０の内側規制片２７に外方側から当接して、上側の嵩上げ枠１０の移動を規制する。
【００４５】
また、本実施形態では、外側規制片２６が連絡リブ２１の垂直外端部２２Ａよりも外方側に配置されるので、嵩上げ枠１０を上下に段積みしたときに、下側の嵩上げ枠１０の垂直外端部２２Ａを、上側の嵩上げ枠１０の外側規制片２６より内方側に配置することができる。その結果、上側の嵩上げ枠１０の外側規制片２６の延長線上に下側の嵩上げ枠１０の外側規制片２６を配置することが可能となり、上側の嵩上げ枠１０の外側規制片２６が下側の嵩上げ枠１０より外方側に飛び出ることが抑制される。
【００４６】
図８及び図９に示されるように、本実施形態では、嵩上げ枠付き容器７０の上に容器５０を載置可能となっている。具体的には、容器５０の底壁５１の下面には、下面突部５７が設けられていて（図９参照）、この下面突部５７が嵩上げ枠１０の内側に嵌合される。嵩上げ枠１０の上に載置された容器５０が水平方向に移動すると、嵩上げ枠１０の起立壁１２が容器５０の下面突部５７に外方側から当接して、その容器５０の移動を規制する。  
【００４７】
なお、詳細には、下面突部５７は、平面視矩形状の本体部５７Ｈと、各コーナー部分から外方側に張り出した平面視略Ｌ字状のコーナー突部（図示せず）と、からなる。本体部５７Ｈは、嵩上げ枠１０において天井壁１３の内側に形成される開口部分に受容され、コーナー突部は、嵩上げ枠１０における天井壁１３の陥没部１３Ａに受容される。なお、下面突部５７は、コーナー突部を備えずに本体部５７Ｈのみで形成されてもよい。
【００４８】
図１０及び図１２に示されるように、本実施形態では、容器５０の上に蓋体６０が載置可能になっていて、この蓋体６０が嵩上げ枠１０の上に載置可能となっている。
【００４９】
図１０及び図１１に示されるように、蓋体６０は、平面視略矩形状をなす主板６１と、主板６１の外周部を上方に突出させてなる土手部６５と、を有する。
【００５０】
主板６１の上面の中央部には、中央陥没部６２が形成されている。中央陥没部６２は、主板６１の一部を下方に凹ませて形成され、中央陥没部６２の下面側には、中央突部６３が形成されている（図１１参照）。中央陥没部６２及び中央突部６３は、長方形の各隅部がＣ面取りされた形状になっている。図１１に示されるように、中央突部６３の外周壁は、中央突部６３の長辺部に位置する長辺突壁６３Ｌと、短辺部に位置する短辺突壁６３Ｓと、Ｃ面取り部分に位置するコーナー傾斜壁６３Ｃと、からなる。また、主板６１の下面には、中央突部６３において隣り合う長辺突壁６３Ｌ及び短辺突壁６３Ｓから延設されてコーナー傾斜壁６３Ｃとの間に三角形状の凹部６４Ａを形成するＬ字状の延長壁６４が設けられている。
【００５１】
図１２に示されるように、土手部６５は、主板６１から上方に起立した内壁６６Ａと、内壁６６Ａの上端部から外方側に張り出した張出壁６６Ｂと、張出壁６６Ｂの外縁部から下方に垂下した外壁６６Ｃと、からなる。内壁６６Ａと外壁６６Ｃの間には、土手部６５を補強するための複数の補強リブ６６Ｒが差し渡されている。なお、図１０に示されるように、土手部６５は、主板６１の各長辺部に形成された長辺土手部６５Ｌと、主板６１の各短辺部に形成された短辺土手部６５Ｓと、からなる。また、主板６１の上面には、主板６１の各隅部の外周部から起立して、長辺土手部６５Ｌの外壁６６Ｃと短辺土手部６５Ｓの外壁６６Ｃとに連絡するＬ字状のコーナー起立壁６７が設けられている。
【００５２】
図１２に示されるように、嵩上げ枠付き容器７０の嵩上げ枠１０の上に蓋体６０が載置されると、蓋体６０の土手部６５が嵩上げ枠１０の天井壁１３の上に載置され、蓋体６０の中央突部６３が嵩上げ枠１０の内側に受容される。嵩上げ枠１０の各隅部においては、蓋体６０の延長壁６７が嵩上げ枠１０の内側に受容される。嵩上げ枠１０の上に載置された蓋体６０が水平方向に移動すると、嵩上げ枠１０の起立壁１２が蓋体６０の中央突部６３の外周壁（詳細には、長辺突壁６３Ｌ又は短辺突壁６３Ｓ）に外方側から当接して、蓋体６０の移動を規制する。
【００５３】
なお、本実施形態では、連絡リブ２１が特許請求の範囲に記載した「突壁」に相当し、上側連絡部２２が「上側壁部」に相当し、下側連絡部２３が「下側壁部」に相当する。また、嵩上げ枠１０の天井壁１３、連絡リブ２１（詳細には、上側連絡部２２）又は起立壁１２が特許請求の範囲に記載した「嵩上げ枠当接部」に相当し、嵩上げ枠１０の起立壁１２が特許請求の範囲に記載した「容器当接部」と「蓋体当接部」に相当する。
【００５４】
［他の実施形態］
（１）上記実施形態では、嵩上げ枠１０は、矩形状に形成されていたが、正方形状であってもよいし。また、嵩上げ枠１０は、多角形状であってもよいし、円形状であってもよい。
【００５５】
（２）起立壁１２が載置壁１１の内縁から起立して、載置壁１１に内側はみ出し部１１Ａが形成されない構成であってもよい。
【００５６】
（３）水平移動規制部２５は、外側規制片２６のみで構成されてもよいし、内側規制片２７のみで構成されてもよい。
【００５７】
（４）上記実施形態では、外側規制片２６と内側規制片２７が嵩上げ枠１０の周方向全体に形成されていたが、外側規制片２６と内側規制片２７の一方又は両方が嵩上げ枠１０の周方向の一部に形成されてもよい。この場合であっても、嵩上げ枠１０の各辺部に外側規制片２６と内側規制片２７の少なくとも一方が形成されていれば、嵩上げ枠１０の上に別の嵩上げ枠１０、容器５０又は蓋体６０が載置されても、その載置物の水平方向の移動を規制することができる。
【００５８】
（５）上記実施形態では、水平リブ２４が嵩上げ枠１０の周方向全体に形成された構成であったが、水平リブ２４が嵩上げ枠１０の周方向の一部に形成された構成であってもよいし、嵩上げ枠１０が水平リブ２４を備えない構成であってもよい。
【００５９】
（６）図１３に示されるように、嵩上げ枠１０は、載置壁１１に、嵩上げ枠１０の内外方向に載置壁１１を分断する開口部１１Ａが形成され、その開口部１１Ａの内方側の縁部から起立壁１２が起立し、開口部１１Ａの外方側の縁部と天井壁１３の外縁部とが連絡壁１５で連絡され、起立壁１２と連絡壁１５の間に連絡リブ２１が差し渡される構成であってもよい。なお、連絡壁１５は、天井壁１３の外縁部から下方に垂下する垂下壁部１５Ａと、垂下壁部１５Ａから下方に連設されると共に下側へ向かうにつれて外方側へ向かうように傾斜した傾斜壁部１５Ｂと、からなり、連絡リブ２１は、垂下壁部１５Ａと傾斜壁部１５Ｂとに連絡する。そして、連絡リブ２１のうち起立壁１２と垂下壁部１５Ａに挟まれる部分が上側連絡部２２となり、連絡リブ２１のうち起立壁１２と傾斜壁部１５Ｂに挟まれる部分が下側連絡部２３となる。図１３の例では、連絡壁１５が特許請求の範囲に記載した「突壁」に相当し、傾斜壁部１５Ｂとその外方側の端部が特許請求の範囲に記載した「下側壁部」と「傾斜外端部」に相当し、垂下壁部１５Ａとその外方側の端部が特許請求の範囲に記載した「上側壁部」と「垂直外端部」に相当する。なお、図１３の例において、連絡リブ２１を備えない構成としてもよい。
【００６０】
（７）図１４に示されるように、嵩上げ枠１０は、天井壁１３と水平リブ２４との間を連絡する上側連絡リブ２１Ａと、載置壁と水平リブ２４との間を連絡する下側連絡リブ２１Ｂと、を備える構成であってもよい。上側連絡リブ２１Ａと下側連絡リブ２１Ｂは、嵩上げ枠１０の周方向にずれて配置され、上側連絡リブ２１Ａの外方側の端部は、嵩上げ枠１０の内外方向に対して略垂直になっていて、下側連絡リブ２１Ｂの外方側の端部は、下方へ向かうにつれて嵩上げ枠１０の外方側へ向かうように傾斜する。この場合、下側連絡リブ２１Ｂが特許請求の範囲に記載した「突壁」に相当し、下側連絡リブ２１Ｂの外方側の端部が傾斜外端部２３Ａとなる。なお、図１４において、上側連絡リブ２１Ａの外方側の端部が下方へ向かうにつれて嵩上げ枠１０の外方側へ向かうように傾斜し、下側連絡リブ２１Ｂの外方側の端部が嵩上げ枠１０の内外方向に対して略垂直になってもよい。この場合には、上側連絡リブ２１Ａが特許請求の範囲に記載した「突壁」に相当し、上側連絡リブ２１Ａの外方側の端部が特許請求の範囲に記載した「傾斜外端部」に相当する。
【００６１】
（８）水平移動規制部２５は、特許文献１に示される構成であってもよい。具体的には、容器５０の上部フレーム５３の上面に、幅広部と幅狭部を繋げてなる長孔を形成し、嵩上げ枠１０の載置壁１１の下面に鉤状の係合片を突設した構成とすればよい。
【符号の説明】
【００６２】
１０    嵩上げ枠
１１    載置壁
１２    起立壁
１３    天井壁
２１    連絡リブ（突壁）
２２    上側連絡部（上側壁部）
２２Ａ    垂直外端部
２３    下側連絡部（下側壁部）
２３Ａ    傾斜外端部
２５    水平移動規制部
２６    外側規制片
２７    内側規制片
５０    容器
５１    底壁
５２    側壁
６０    蓋体
７０    嵩上げ枠付き容器
【図１】
2020142809.tif 000003
【図２】
2020142809.tif 000004
【図３】
2020142809.tif 000005
【図４】
2020142809.tif 000006
【図５】
2020142809.tif 000007
【図６】
2020142809.tif 000008
【図７】
2020142809.tif 000009
【図８】
2020142809.tif 000010
【図９】
2020142809.tif 000011
【図１０】
2020142809.tif 000012
【図１１】
2020142809.tif 000013
【図１２】
2020142809.tif 000014
【図１３】
2020142809.tif 000015
【図１４】
2020142809.tif 000016